(57)【要約】【課題】改修河川を水中生物の自然の生棲環境に維持することを可能とする。【解決手段】基柱２と、この基柱２の上端に一体的に設けられ該基柱２の上面より大きい面積を有する塊状体３とからなるコンクリート製の人工かじか石１を設け、河床４の穿設配列した穴に前記基柱２を挿着して配設し、前記塊状体３と河床４との間に隙間５を形成して水中生物の生息空間を形成するようにしたことを特徴とする。【選択図】　図２
2004019341.tif 000002
【特許請求の範囲】
【請求項１】
基柱と、この基柱の上端に一体的に設けられ該基柱の水平断面より大きい面積を有する塊状体とからなるコンクリート製の人工かじか石を設け、河床に穿設配列した穴に前記基柱を挿着して配設し、前記塊状体と河床との間に隙間を形成して水中生物の生棲空間を形成するようにしたことを特徴とする環境保全型河床構造。
【請求項２】
河床に穿設配列される穴に挿着する基柱と、この基柱の上端に一体的に設けられ該基柱の水平断面より大きい面積を有していて河床との間に水中生物の生棲空間を形成する塊状体とを具備することを特徴とするコンクリート製の人工かじか石。
【請求項３】
前記人工かじか石の塊状体は、その下面が河床との間に水中生物の生息空間を作るため凹面とされている請求項１記載の環境保全型河床構造。
【請求項４】
前記人工かじか石の塊状体は、その下面が河床との間に水中生物の生息空間を作るため凹面とされている請求項２記載の人工かじか石。
【発明の詳細な説明】
【０００１】
【発明の属する技術分野】
本発明はコンクリートにより構築される河川の河床構造に係り、特に環境保全を達成することができる河床構造およびそれに用いる人工かじか石に関する。
【０００２】
【従来の技術】
昨今の小河川や小川などにおいては、岸と河床とをコンクリートで固めて改修された所謂「三面側溝」と称される水路構造のものが多くみられるようになっている。
【０００３】
これにより護岸としての機能が高く、災害防止や財産保全の面において多くの効果を挙げている。
【０００４】
【発明が解決しようとする課題】
しかるに上記の三面側溝の水路構造では、水の流れが円滑になりすぎて水棲昆虫や魚類にとっては生息することができる環境ではなく、人々にとっても水とそこに棲む生物と親しむことができなくなっている。
【０００５】
そこで、コンクリート製の河床に「かじか石」と称される石を敷設して水中生物の生息をうながすようにすることも可能ではあるが、一般に流路工と呼ばれる河川は帯工や堰堤の構築により河川勾配を緩やかにして土砂の流出を抑制することが一つの目的とされていることから、このような河川では上流からの土砂や小砂利が堆積して目詰まりを起こし、魚類の生息空間が套われてしまい、変化のない流れになってしまうという問題がある。
【０００６】
本発明は、コンクリート製の河川であっても、その河床に水中生物の生棲空間を確保し、自然の環境を維持することができる環境保全型河床構造および人工かじか石を提供することを課題としてなされたものである。
【０００７】
【課題を解決しようとする手段】
上記課題を解決する手段として本発明は、基柱と、この基柱の上端に一体的に設けられ該基柱の水平断面より大きい面積を有する塊状体とからなるコンクリート製の人工かじか石を設け、河床に穿設配列した穴に前記基柱を挿着して配設し、前記塊状体と河床との間に隙間を形成して水中生物の生棲空間を形成するようにしたものである。
【０００８】
前記塊状体の下面を凹面とし、河床との間に水中生物の生棲空間を形成するようにすることが好ましい。
【０００９】
この場合、塊状体の周縁下端の一側が河床に接しておかれるよう前記凹面を形成し、水の流れ方向に前記各種の人工かじか石を組み合わせて配設することにより河川が本来持っていた「瀬」や「溜り」を形成して水中生物の生棲に適した河床とすることができる。
【００１０】
【発明の実施の形態】
以下、本発明を図面に示す実施の形態を参照して説明する。
【００１１】
本発明において用いられる人工かじか石１は、図１にその一実施形態の外観を示すように、水平断面が円形、角形、多角形等の基柱２と、この基柱２の上端に一体的に設けられ該基柱２の水平断面積より大きい平面形状を有する塊状体３とで構成され、これらはコンクリートにより一体的に形成されており、河床４（図５示）に穿設した穴に前記基柱２を挿着して配設される。
【００１２】
前記塊状体３は、上面３ａが緩やかな凸球面状に形成され、下面３ｂは凹面状に形成されており、その下面３ｂの一部の下部両側は下方に突出する突出部３ｃ，３ｃとされていて、河床４に対し図２（Ａ）、図３（Ａ）に示すように上流側において前記突出部３ｃ，３ｃが河床面に接し、反対側は河床面から離間して隙間５が形成され、これにより正面よりみて上流側から下流側にかけて水が流動するようトンネル状をなしておかれるようになっている。
【００１３】
前記塊状体３の直径Ｄ、同高さＨ、下面３ｂの凹面の深さｈは次のような形態とされる。
【００１４】
すなわち図２に示すＡ型（Ｄ＝４８０ｍｍ、Ｈ＝２００ｍｍ、ｈ＝５０ｍｍ）と、図３に示すＢ型（Ｄ＝４８０ｍｍ、Ｈ＝３５０ｍｍ、ｈ＝１００ｍｍ）と、図４に示すＣ型とがある。このＣ型は塊状体３の下面３ｂの凹面の下部四隅が河床４に接する形状とされ、Ｄ＝４８０ｍｍ、Ｈ＝３５０ｍｍとされている。
【００１５】
上記のように形成された人工かじか石１は、図５に河川の断面例を示すように両岸の護岸６，６の下部間の河床４に人工かじか石１が配設される。
【００１６】
その配列としては、図６に前記Ａ型、Ｂ型、Ｃ型の人工かじか石１を単にＡ、Ｂ、Ｃの記号を付してその一例を示すように、河床４の水の流れ方向両側部（護岸６，６の基部側）にＢ型およびＣ型の人工かじか石１をＢ型２個に対しＣ型１個の割合で配設し、これら人工かじか石列の河川中央側にＡ型およびＢ型の人工かじか石１を前記配設されたＢ型とＣ型の人工かじか石１間の位置に配設する。このＡ型の人工かじか石１の配置間隔は、側部に配設したＢ型、Ｃ型の人工かじか石１の６個置き程度とされる。
【００１７】
こうすることにより、水は図７に矢印で示すように流れ、河川中央側に人工かじか石１が存在しない部分では「瀬」７が形成され、河川中央側に人工かじか石１が水の流れに対し直交する方向に隣接して並設されている部分では水の「溜り」８ができ、自然の川と同じような水の流れが生成される。
【００１８】
これらにより各人工かじか石１の塊状体３の下面３ｂに形成される隙間５が水中生物の産卵場所等として提供され、また前記溜り８部分の塊状体３の下面３ｂは小さい水中生物の棲息場所として提供される。
【００１９】
上記の人工かじか石１の配列は、河川の幅や水量、生息する水中生物の種類等に応じて適宜選択することができる。また人工かじか石１の塊状体３の大きさについても同様である。さらに対象とする河川は、改修された河川に限らず、新設の河川であっても適用することができる。
【００２０】
【発明の効果】
以上説明したように本発明によれば、災害防止機能を損なうことなく河川の河床に自然の川の流れと水中生物の棲息場所を作ることが容易にでき、また本発明において用いる人工かじか石はその基柱を河床に挿着してこれと一体的な塊状体が河床上におかれるようにしたので、河川の水量が急増しても押し流されることがなく、それに伴い水中生物も水流から保護され、長期にわたって生息状態を維持することができ、自然環境を保つことができる優れた効果を奏する。
【図面の簡単な説明】
【図１】本発明において用いる人工かじか石の一実施形態を示す斜視図。
【図２】Ａ型の人工かじか石を示し、（Ａ）は側面図、（Ｂ）は正面図。
【図３】Ｂ型の人工かじか石を示し、（Ａ）は側面図、（Ｂ）は正面図。
【図４】Ｃ型の人工かじか石を示し、（Ａ）は側面図、（Ｂ）は正面図。
【図５】本発明による河床部分を示す改修河川の断面図。
【図６】Ａ型、Ｂ型、Ｃ型の人工かじか石の配列例を示す平面図。
【図７】同、水の流れを示す説明図。
【符号の説明】
１　人工かじか石
２　基柱
３　塊状体
３ａ　塊状体の上面
３ｂ　塊状体の下面
４　河床
５　隙間
６　護岸
７　瀬
８　溜り
【図１】
2004019341.tif 000003
【図２】
2004019341.tif 000004
【図３】
2004019341.tif 000005
【図４】
2004019341.tif 000006
【図５】
2004019341.tif 000007
【図６】
2004019341.tif 000008
【図７】
2004019341.tif 000009